(57)【特許請求の範囲】
【請求項１】
ハウジングと、
前記ハウジングの背面を覆う電線カバーと、
前記電線カバーに形成された弾性撓み可能な弾性ロック片と、
前記弾性ロック片に形成されたロック部と、
嵌合位置と初期位置との間で回動可能な嵌合操作用のレバーと、
前記レバーに形成された係止部とを備え、
嵌合操作において前記レバーを初期位置から嵌合位置へ回動させると、前記ロック部が前記係止部に係止することで、前記レバーが初期位置側への回動を規制された状態にロックされ、
嵌合位置にロックされている前記レバーを初期位置側へ回動させる際には、前記弾性ロック片を押し操作して前記ロック部を前記係止部から解離させることで、前記弾性ロック片によるロックを解除するようになっているレバー式コネクタであって、
前記弾性ロック片を構成し、弾性変位の方向が、嵌合位置の前記レバーが初期位置側へ回動し始めるときに前記係止部が変位する方向と略平行な方向である第１撓み片と、
前記弾性ロック片を構成し、弾性変位の方向が、前記第１撓み片の弾性変位方向と交差する方向であり、且つ前記ロック部を前記係止部から解離させる方向と略平行な方向である第２撓み片とを備え、
前記係止部と前記ロック部が係止している状態で前記弾性ロック片をロック解除方向へ押し操作すると、前記ロック部は、前記第１撓み片と前記第２撓み片の弾性変位に伴って前記係止部から解離して前記係止部を乗り越えるように変位した後、前記第２撓み片の弾性復帰に伴ってロック時とは反対側から前記係止部と対向するようになっており、
前記ロック部がロック時とは反対側から前記係止部と対向する状態で、前記弾性ロック片に対する押し操作を解除すると、前記弾性ロック片の弾性復元力が前記ロック部を介して前記係止部に付与され、前記第１撓み片の弾性復帰に伴って前記レバーが初期位置側へ押し動かされるようになっていることを特徴とするレバー式コネクタ。
【請求項２】
前記電線カバーを構成し、前記弾性ロック片を支持する支持部と、
前記第１撓み片の基端部と前記支持部とを繋ぎ、前記第１撓み片の弾性変位の支点となる第１支点部と、
前記第１撓み片の先端部と前記第２撓み片の基端部とを繋ぎ、前記第２撓み片の弾性変位の支点となる第２支点部とを備え、
前記ロック部が、前記第２撓み片の先端部に配されていることを特徴とする請求項１記載のレバー式コネクタ。
【請求項３】
ロック時に前記ロック部と前記係止部が当接する部分に、前記第１撓み片の変位方向と前記第２撓み片の変位方向の両方向に対して斜めをなす傾斜面が形成されていることを特徴とする請求項１又は請求項２記載のレバー式コネクタ。
【発明の詳細な説明】
【技術分野】
【０００１】
本発明は、レバー式コネクタに関するものである。
【背景技術】
【０００２】
特許文献１には、ハウジングと、ハウジングの背面を覆う電線カバーと、嵌合位置と初期位置との間で回動可能な嵌合操作用のレバーとを備えたレバー式コネクタが開示されている。電線カバーには、ロック部を備えた弾性ロック片が形成され、レバーには、弾性ロック片と係止可能な係止部が形成されている。嵌合操作においてレバーを初期位置から嵌合位置側へ回動させると、レバーが嵌合位置に到達する直前で、弾性ロック片が係止部と干渉して弾性撓みする。そして、レバーが嵌合位置に到達すると、弾性ロック片が弾性復帰してロック部が係止部に係止し、この係止作用により、レバーが、初期位置側への回動を規制された状態にロックされるようになっている。
【先行技術文献】
【特許文献】
【０００３】
【特許文献１】特開２００９−２７２０４６号公報
【発明の概要】
【発明が解決しようとする課題】
【０００４】
上記のレバー式コネクタにおいて、嵌合位置にロックされているレバーを初期位置側へ回動させる際には、まず、弾性ロック片の操作部を押し操作してロック部を係止部から解離させ、弾性ロック片によるロックを解除する。そして、この操作部を押し操作した状態を維持したまま、レバーを初期位置側へ回動させるようになっている。このように、上記のレバー式コネクタでは、レバーを初期位置側へ回動させる時に、弾性ロック片をロック解除状態に維持しておく必要があるため、作業性が良くない。
本発明は上記のような事情に基づいて完成されたものであって、レバーをロック解除して初期位置へ回動させる際の作業性向上を図ることを目的とする。
【課題を解決するための手段】
【０００５】
本発明は、
ハウジングと、
前記ハウジングの背面を覆う電線カバーと、
前記電線カバーに形成された弾性撓み可能な弾性ロック片と、
前記弾性ロック片に形成されたロック部と、
嵌合位置と初期位置との間で回動可能な嵌合操作用のレバーと、
前記レバーに形成された係止部とを備え、
嵌合操作において前記レバーを初期位置から嵌合位置へ回動させると、前記ロック部が前記係止部に係止することで、前記レバーが初期位置側への回動を規制された状態にロックされ、
嵌合位置にロックされている前記レバーを初期位置側へ回動させる際には、前記弾性ロック片を押し操作して前記ロック部を前記係止部から解離させることで、前記弾性ロック片によるロックを解除するようになっているレバー式コネクタであって、
前記弾性ロック片を構成し、弾性変位の方向が、嵌合位置の前記レバーが初期位置側へ回動し始めるときに前記係止部が変位する方向と略平行な方向である第１撓み片と、
前記弾性ロック片を構成し、弾性変位の方向が、前記第１撓み片の弾性変位方向と交差する方向であり、且つ前記ロック部を前記係止部から解離させる方向と略平行な方向である第２撓み片とを備え、
前記係止部と前記ロック部が係止している状態で前記弾性ロック片をロック解除方向へ押し操作すると、前記ロック部は、前記第１撓み片と前記第２撓み片の弾性変位に伴って前記係止部から解離して前記係止部を乗り越えるように変位した後、前記第２撓み片の弾性復帰に伴ってロック時とは反対側から前記係止部と対向するようになっており、
前記ロック部がロック時とは反対側から前記係止部と対向する状態で、前記弾性ロック片に対する押し操作を解除すると、前記弾性ロック片の弾性復元力が前記ロック部を介して前記係止部に付与され、前記第１撓み片の弾性復帰に伴って前記レバーが初期位置側へ押し動かされるようになっているところに特徴を有する。
【発明の効果】
【０００６】
この構成によれば、弾性ロック片を押し操作するだけで、弾性ロック片によるロックが解除されると同時に、レバーが初期位置側へ押し動かされ、係止部が、ロック部と係止不能な位置へ退避する。したがって、レバーをロック解除してレバーを初期位置側へ回動させる時に、弾性ロック片をロック解除状態に維持しておく必要がなく、作業性に優れている。
【図面の簡単な説明】
【０００７】
【図１】実施例１のコネクタにおいてレバーが嵌合位置にある状態をあらわす平面図
【図２】図１のＡ−Ａ線断面図
【図３】図２の部分拡大図
【図４】弾性ロック片をロック解除操作している過程をあらわす部分拡大断面図
【図５】弾性ロック片によるロックが解除された状態をあらわす部分拡大断面図
【図６】弾性ロック片がレバーの操作部を初期位置側へ押し動かした状態をあらわす部分拡大断面図
【図７】レバーが初期位置にある状態をあらわす側面図
【図８】レバーが初期位置にある状態をあらわす正面図
【発明を実施するための形態】
【０００８】
本発明のレバー式コネクタは、
前記電線カバーを構成し、前記弾性ロック片を支持する支持部と、
前記第１撓み片の基端部と前記支持部とを繋ぎ、前記第１撓み片の弾性変位の支点となる第１支点部と、
前記第１撓み片の先端部と前記第２撓み片の基端部とを繋ぎ、前記第２撓み片の弾性変位の支点となる第２支点部とを備え、
前記ロック部が、前記第２撓み片の先端部に配されていてもよい。
【０００９】
このレバー式コネクタは、ロック状態の時に、第１撓み片を押し操作して第１支点部を支点として弾性変位させると、第２撓み片とロック部が、第１撓み片とほぼ同じ方向へ変位しながら、係止部との干渉により第２支点部を支点として変位し、この間に、ロック部が係止部から解離する。そして、ロック部が係止部を乗り越えると、第２撓み片が弾性復帰して、ロック部が、ロック時とは反対側から係止部と対向する位置へ変位する。このとき、第１撓み片は弾性変位したままである。この状態で、第１撓み片への押し操作を解除すると、第１支点部の弾性復元力により、第２撓み片とロック部が第１撓み片と一体となって復動し、この間に、第１撓み片からロック部を介して係止部に付与される押圧力により、レバーが初期位置側へ動かされる。
【００１０】
本発明のレバー式コネクタは、
ロック時に前記ロック部と前記係止部が当接する部分に、前記第１撓み片の変位方向と前記第２撓み片の変位方向の両方向に対して斜めをなす傾斜面が形成されていてもよい。
このレバー式コネクタは、ロック解除時にロック部が係止部に押し付けられながら係止解除方向へ変位するため、摺動抵抗によってロック部の変位が円滑に行われなくなることが懸念される。しかし、ロック部と係止部との当接部分は、第１撓み片の変位方向と第２撓み片の変位方向の両方向に対して斜めをなす傾斜面になっているので、摺動抵抗が小さく、ロック部の変位が円滑に行われる。
【００１１】
＜実施例１＞
以下、本発明を具体化した実施例１を図１〜図８を参照して説明する。図２，７，８に示すように、本実施例のレバー式コネクタは、ハウジング１０と、電線カバー２０と、レバー３０とを備えて構成されている。尚、以下の説明において、上下方向については、図２〜８に表れている向きを基準とする。また、前後方向については、図２〜７における左方を前方とし、右方を後方とする。
【００１２】
ハウジング１０は、合成樹脂製であり、ハウジング１０の内部には、複数の端子金具（図示省略）が収容されている。各端子金具に接続された電線（図示省略）は、ハウジング１０の上面（背面）から上方へ導出されている。ハウジング１０には、その上面（電線が導出する面）を覆い隠す電線カバー２０が組み付けられている。図２，７に示すように、ハウジング１０の左右両外側面には、レバー３０を回動可能に支持するための一対の支持軸１１が形成されている。支持軸１１は、前後方向においてはハウジング１０のほぼ中央に位置し、上下方向においては、ハウジング１０の上端部に位置している。
【００１３】
電線カバー２０は、合成樹脂製であり、図１，２，７，８に示すように、左右一対の側壁部２１と、左右両側壁部２１の上端縁同士を繋ぐ上壁部２２と、左右両側壁部２１の前端縁のうち下端部同士を繋ぐ前壁部２３と、左右両側壁部２１の前端縁のうち前壁部２３よりも上方の領域を繋ぐ傾斜壁部２４とを備えて構成されている。電線カバー２０の内部には、上記壁部２１，２２，２３，２４で囲まれることによって後方へ開放された転向空間２５が形成されている。転向空間２５の内部では、ハウジング１０から上向きに導出された複数本の電線が、上壁部２２に当接することによって後方へ転向されている。転向空間２５内で向きを変えられた電線は、電線カバー２０の後方外部へ導出されている。
【００１４】
レバー３０は、合成樹脂製であり、図１に示すように、左右方向に長い操作部３１と、操作部３１の左右両端部に繋がる左右対称な一対の板状をなすアーム部３２とを備えて構成されている。図７に示すように、レバー３０は、両アーム部３２に形成した軸受孔３３を支持軸１１に嵌合することにより、支持軸１１を中心として初期位置（図７，８を参照）と嵌合位置（図１，２を参照）との間で回動操作可能となっている。アーム部３２には、周知形態のカム溝３４が形成されている。
【００１５】
図７に示すように、レバー３０が初期位置にある状態では、カム溝３４の入口が、相手側コネクタ（図示省略）のカムフォロアをカム溝３４に進入させるために下方（相手側コネクタに対する嵌合方向前方）に向かって開口する。ハウジング１０と相手側コネクタとを浅く嵌合してカムフォロアをカム溝３４の入口に進入させた状態で、レバー３０を初期位置から嵌合位置へ回動させると、回動の過程で、カム溝３４とカムフォロアとの係合によりハウジング１０と相手側コネクタとが引き寄せられて、嵌合が進む。そして、図２に示すように、レバー３０が嵌合位置に到達したところで、ハウジング１０と相手側コネクタとの嵌合が完了する。
【００１６】
初期位置から嵌合位置へのレバー３０の回動方向は、図２，７における反時計周り方向である。レバー３０が初期位置にある状態では、操作部３１が支持軸１１及び電線カバー２０よりも上方に位置する。したがって、操作部３１は、回動初期には上壁部２２の上面に沿うように前方へ変位し、回動が進むと変位方向が斜め下前方となる。レバー３０が嵌合位置に到達する直前では、操作部３１の変位方向は、ほぼ下向きとなる。嵌合位置のレバー３０が初期位置側への回動を開始したとき、操作部３１は、ほぼ上向きに変位するようになっている。
【００１７】
レバー３０が嵌合位置に到達したときに、レバー３０が初期位置側へ戻らないようにロックするためのロック手段として、レバー３０には、係止部３５が一体に形成されている。以下の係止部３５の形態に関する説明において、上下及び前後の方向は、レバー３０が嵌合位置にある状態（図２〜５を参照）を基準とする。図１，８に示すように、係止部３５は、左右方向において操作部３１の中央部に配されている。図２，３に示すように、係止部３５は、操作部３１の後面（電線カバー２０の傾斜壁部２４と対向する面）から後方（弾性ロック片４０に接近する方向）へ台形状に突出した形態である。
【００１８】
図３に示すように、係止部３５の上面は、後方に向かって下り勾配となるように傾斜した係止面３６（本発明の構成要件である傾斜面）となっている。係止面３６は、嵌合位置にロックされているレバー３０が初期位置側へ回動を開始するときの操作部３１及び係止部３５の変位方向（以下、「係止部３５の変位開始方向」という）に対して、斜めをなしている。係止部３５の下面は、上方に向かって上り勾配となるように傾斜した受圧面３７となっている。受圧面３７も、係止面３６と同様、係止部３５の変位開始方向（つまり、上方向）に対して斜めをなしている。係止部３５の後面（弾性ロック片４０と対向する面）は、係止部３５の変位開始方向と略平行な受け面３８となっている。
【００１９】
図３に示すように、電線カバー２０には、弾性ロック片４０が一体に形成されている。弾性ロック片４０は、レバー３０が嵌合位置に到達したときに係止部３５と係止することで、レバー３０が初期位置側へ戻らないようにロックするロック手段として機能する。以下の弾性ロック片４０の形態に関する説明において、上下及び前後の方向は、図３に示すように、弾性ロック片４０が、係止部３５に係止してレバー３０の初期位置側への変位を規制しているロック状態を基準とする。
【００２０】
図１，８に示すように、弾性ロック片４０は、左右方向において電線カバー２０の中央部であって、係止部３５と対応する位置に配されている。上壁部２２の前端部には、前後方向に延びる左右一対の第１スリット２６が形成されている。傾斜壁部２４には、前後方向に延びて後端部が第１スリット２６に繋がる左右一対の第２スリット２７と、左右方向に延びて左右両端が左右両第２スリット２７の前端に繋がる第３スリット２８が形成されている。そして、電線カバー２０のうち上記スリット２６，２７，２８によって囲まれた領域が、弾性ロック片４０となっている。
【００２１】
図３に示すように、弾性ロック片４０は、上壁部２２の一部と傾斜壁部２４の一部を構成している。上壁部２２のうち弾性ロック片４０以外の領域は、弾性ロック片４０を弾性変位可能に支持するための支持部２９として機能する。弾性ロック片４０のうち上壁部２２を構成する方形の略平板状領域は、略水平な第１撓み片４１となっている。第１撓み片４１は、その基端部（後端縁）において支持部２９に対して面一状に繋がっている。つまり、第１撓み片４１は支持部２９から前方へ片持ち状に延出している。
【００２２】
第１撓み片４１の後端縁と支持部２９とが繋がる左右方向に細長い領域は、第１撓み片４１が支持部２９に対して弾性的に相対変位するときの揺動の支点となる第１支点部４２となっている。第１撓み片４１は、弾性撓みしていない状態（ロック状態）のときに、係止部３５の変位開始方向に対して略直角をなしている。第１撓み片４１は、第１支点部４２を支点として下方へ弾性的に揺動変位可能である。この第１撓み片４１の弾性変位方向は、係止部３５の変位開始方向と略平行な方向である。
【００２３】
弾性ロック片４０のうち傾斜壁部２４を構成する方形の略平板状領域は、第２撓み片４３となっている。第２撓み片４３は、その基端部（後端縁）において第１撓み片４１の前端縁（先端部）に対して斜めに繋がっている。つまり、第２撓み片４３は第１撓み片４１の延出端から斜め下前方へ片持ち状に延出している。第２端子金具の後端縁と第１撓み片４１の前端縁とが繋がる左右方向に細長い領域は、第２撓み片４３が第１撓み片４１に対して弾性的に相対変位するときの揺動の支点となる第２支点部４４となっている。
【００２４】
第２撓み片４３は、弾性撓みしていない状態（ロック状態）のときに、係止部３５の変位開始方向に対して斜めを向いている。第２撓み片４３は、第２支点部４４を支点として斜め下後方へ弾性的に揺動変位可能である。この第２撓み片４３の弾性変位方向は、第１撓み片４１の弾性変位方向に対して斜めに交差する方向であり、且つ第２撓み片４３を係止部３５から遠ざける方向（つまり、後述するロック部４５を係止部３５から解離させるロック解除方向）である。
【００２５】
第２撓み片４３の前端部（下端部）には、ロック部４５が一体に形成されている。ロック部４５は、第２撓み片４３から前方（操作部３１に接近する方向）へ略三角形状に突出した形態である。ロック部４５の上面は、係止部３５の変位開始方向と略直角な押圧面４６となっている。ロック部４５の下面は、係止部３５の変位開始方向に対して斜めをなし且つ係止面３６と略平行なロック面４７（本発明の構成要件である傾斜面）となっている。また、第２撓み片４３の前面における前端部（つまり、第２撓み片４３の前面のうちロック部４５よりも下方の領域）は、係止部３５の受け面３８に対して接近して平行に対向、または受け面３８に面当たり状態で当接する規制面４８となっている。
【００２６】
次に、本実施例の作用を説明する。レバー３０が、嵌合方向へ回動操作する過程において嵌合位置の直前位置に到達すると、係止部３５がロック部４５の突出端に当接する。この状態からレバー３０の回動を進めると、係止部３５とロック部４５が摺接しながら、弾性ロック片４０が全体として斜め下後方（ロック解除方向）へ弾性変位する。このとき、第１撓み片４１が第１支点部４２を支点として主として下方へ揺動変位するとともに、第２撓み片４３が第２支点部４４を支点として主として後方へ揺動変位する。
【００２７】
そして、レバー３０が嵌合位置に到達すると、係止部３５がロック部４５を通過し終わるので、弾性ロック片４０がロック位置へ弾性復帰する。弾性ロック片４０がロック位置へ弾性復帰すると、図３に示すように、ロック面４７が係止面３６に対して上からほぼ面当たり状態で当接する状態、又は接近して略平行に対向して係止可能な状態となる。また、規制面４８が、受け面３８に対して後方からほぼ面当たり状態で当接する状態、又は接近して略平行に対向して係止可能な状態となる。
【００２８】
この状態で、操作部３１と係止部３５が上方へ変位しようとすると、係止部３５の係止面３６がロック部４５のロック面４７を押すので、弾性ロック片４０の先端部（ロック部４５）に上向きの押圧力が付与される。ここで、弾性ロック片４０の揺動支点（第１支点部４２と第２支点部４４）は、上下方向においては押圧位置よりも上方（つまり、係止部３５の変位開始方向の前方）に位置し、且つ前後方向においては押圧位置よりも後方（つまり、ロック部４５を挟んで係止部３５とは反対側）に位置する。
【００２９】
したがって、上向きの押圧力を受けたロック部４５は、第１支点部４２と第２支点部４４を支点として斜め上前方へ変位しようとする。これに伴い、ロック部４５の規制面４８は、係止部３５の受け面３８を後方から押圧するのであるが、係止部３５は、前方への変位を規制されている。したがって、この係止部３５がストッパとなり、ロック部４５の前方への変位を規制し、ひいては、弾性ロック片４０の上方への揺動変位を規制する。これにより、係止部３５（操作部３１）の上方への変位が阻止され、レバー３０が初期位置側への回動を規制された状態にロックされる。
【００３０】
次に、上記のロックを解除する操作について説明する。ロック解除の際には、弾性ロック片４０を電線カバー２０の外面側から指で押し操作してロック解除方向へ弾性変位させる。このとき、指を第２支点部４４及びその近傍に当てて、弾性ロック片４０を斜め下後方に押す。押し操作する過程では、まず、ロック面４７と係止面３６が摺接しながら、ロック部４５が斜め下後方へ変位する。この間、主として、第２撓み片４３が第２支点部４４を支点として斜め下後方へ揺動変位する。
【００３１】
この後、ロック部４５の突出端が、係止面３６を通過し、弾性ロック片４０によるロックが解除される。この後、図４に示すように、ロック部４５が、受け面３８に摺接しながら下方へ変位する。この間、主として第１撓み片４１が第１支点部４２を支点として下方へ揺動変位する。また、第２支点部４４の弾性復元力により、ロック部４５から受け面３８に対して後方から押圧力が付与される。
【００３２】
そして、ロックが解除された状態から、さらに弾性ロック片４０の押し操作（弾性変位）を進めると、図５に示すように、ロック部４５の突出端が受け面３８の下端を通過する。これ以降は、弾性ロック片４０の弾性変位が進むのに伴い、ロック部４５が、受圧面３７に摺接しながら斜め下前方へ変位して、係止部３５の下に潜り込んでいく。この間、第１撓み片４１が第１支点部４２を支点として下方へ揺動変位するとともに、第２撓み片４３が第２支点部４４を支点として前方へ弾性復帰する。上記のようにして、ロック部４５が係止部３５を乗り越えると、押圧面４６が受圧面３７に対して面当たりする状態、又はロック部４５の突出端が受け面３８に当接する状態となる。この状態では、第２支点部４４の弾性復元力により、ロック部４５から係止部３５に対し斜め上前方への押圧力が付与される。
【００３３】
このようにロック部４５が係止部３５の下に潜り込むまで、弾性ロック片４０を弾性変位させた後は、弾性ロック片４０に対するロック解除方向への押圧操作を解除する。すると、係止部３５に当接しているロック部４５が、第１支点部４２の弾性復元力により第１撓み片４１及び第２撓み片４３と一体となって上方へ復動するとともに、第２支点部４４の弾性復元力により斜め上前方へ復動する。ロック部４５が復動する間、第１撓み片４１からロック部４５を介して係止部３５に付与される押圧力により、操作部３１が変位開始方向へ持ち上げられるように押し動かされる。
【００３４】
そして、弾性ロック片４０が完全に弾性復帰した状態では、図６に示すように、係止部３５が、ロック部４５よりも上方（つまり、変位開始方向における前方）に位置することになる。この状態では、弾性ロック片４０に対する押し操作を行わなくても、レバー３０が初期位置側へ回動しようとしたときに、ロック部４５が係止部３５の変位を邪魔することがない。したがって、弾性ロック片４０から指を外したままで、レバー３０を初期位置側へ回動させることができる。
【００３５】
本実施例では、レバー３０を嵌合位置にロックするための弾性ロック片４０に、弾性変位の方向が係止部３５の変位開始方向と略平行である第１撓み片４１と、弾性変位の方向が、第１撓み片４１の弾性変位方向と交差し、且つロック部４５を係止部３５から解離させる方向と略平行な方向（前後方向）である第２撓み片４３とを形成した。そして、係止部３５とロック部４５が係止しているロック状態で弾性ロック片４０をロック解除方向へ押し操作すると、ロック部４５は、第１撓み片４１と第２撓み片４３の弾性変位に伴って係止部３５から解離して係止部３５を乗り越えるように変位した後、第２撓み片４３の弾性復帰に伴ってロック時とは反対側（下側）から係止部３５と対向するようになっている。
【００３６】
この構成によれば、ロック部４５がロック時とは反対側から係止部３５と対向する状態で、弾性ロック片４０に対する押し操作を解除すると、弾性ロック片４０（第１支点部４２と第２支点部４４）の弾性復元力がロック部４５を介して係止部３５に付与され、第１撓み片４１の弾性復帰に伴ってレバー３０が初期位置側へ押し動かされる。このように、本実施例のコネクタは、弾性ロック片４０を押し操作するだけで、弾性ロック片４０によるロックが解除されると同時に、レバー３０が初期位置側へ押し動かされ、係止部３５が、ロック部４５と係止不能な位置へ退避する。したがって、レバー３０をロック解除してレバー３０を初期位置側へ回動させる時に、弾性ロック片４０をロック解除状態に維持しておく必要がなく、作業性に優れている。
【００３７】
また、本実施例のレバー式コネクタは、ロック解除時にロック部４５が係止部３５に押し付けられながら係止解除方向へ変位するため、ロック部４５と係止部３５との間の摺動抵抗によってロック部４５の変位が円滑に行われなくなることが懸念される。しかし、ロック時にロック部４５と係止部３５が当接する部分（ロック面４７と係止面３６）は、第１撓み片４１の変位方向と第２撓み片４３の変位方向の両方向に対して斜めをなす傾斜面となっているので、ロック部４５と係止部３５との間摺動抵抗が小さい。したがって、ロック部４５の変位が円滑に行われる。
【００３８】
＜他の実施例＞
本発明は上記記述及び図面によって説明した実施例に限定されるものではなく、例えば次のような実施例も本発明の技術的範囲に含まれる。
（１）上記実施例では、レバーをハウジングに支持したが、レバーは、電線カバーに支持してもよい。
（２）上記実施例では、弾性ロック片と係止部の両方に傾斜面（ロック面、係止面）を形成したが、傾斜面は、弾性ロック片と係止部のうちいずれか一方のみに形成してもよい。
（３）上記実施例では、係止部を操作部に形成したが、係止部はアーム部に形成してもよい。
【符号の説明】
【００３９】
１０…ハウジング
２０…電線カバー
２９…支持部
３０…レバー
３５…係止部
３６…係止面（傾斜面）
４０…弾性ロック片
４１…第１撓み片
４２…第１支点部
４３…第２撓み片
４４…第２支点部
４５…ロック部
４７…ロック面（傾斜面）
【図１】
0005772729.tif 000002
【図２】
0005772729.tif 000003
【図３】
0005772729.tif 000004
【図４】
0005772729.tif 000005
【図５】
0005772729.tif 000006
【図６】
0005772729.tif 000007
【図７】
0005772729.tif 000008
【図８】
0005772729.tif 000009